(57)【要約】【課題】大型映写スクリーンの設置、片付けが容易であって、映写スクリーンを設置することで、遮光が容易にできる映写スクリーンを提供することにある【解決手段】本考案の窓枠一体型映写スクリーン装置は、窓枠と、映写スクリーンと、スクリーン端末具と、収納ケースと、下部部材と、左縦部材と右縦部材を備えた窓枠一体型映写スクリーン装置であって、窓枠には、上枠と、下枠と、左右縦枠を備え、収納ケースは、窓枠の上端部材付近に配し、映写スクリーンは収納ケース内に、引き出し自在に納めた映写スクリーンを下部部材まで引き出した時、引き出されスクリーン及びスクリーンに配された端末部によって、窓枠一体型映写スクリーンを備えた室内に対し、窓枠からの外光を遮断することを最も主要な特徴とする。【選択図】図２
0003139873.tif 000002
【実用新案登録請求の範囲】
【請求項１】
窓枠と、映写スクリーンと、スクリーン端末具と、収納ケースと、下部部材と、左縦部材と右縦部材を備えた窓枠一体型映写スクリーン装置であって、窓枠には、上枠と、下枠と、左右縦枠を備え、収納ケースは、窓枠の上端部材付近に配し、映写スクリーンは収納ケース内に、引き出し自在に納めた映写スクリーンを下部部材まで引き出した時、引き出されスクリーン及びスクリーンに配された端末部によって、窓枠一体型映写スクリーンを備えた室内に対し、窓枠からの外光を遮断することを特徴とする窓枠一体型映写スクリーン装置。
【請求項２】
前記窓枠一体型映写スクリーン装置において、映写スクリーン左右端が窓枠左右端部の溝内を摺動し、映写スクリーンが、下部端まで引き出されたとき、窓枠左右端部付近からの外光を遮断することを特徴とする請求項１に記載の窓枠一体型映写スクリーン装置。
【請求項３】
前記窓枠一体型映写スクリーン装置において、スクリーン端末具にブラシ部を備え、ブラシ部が下部部材に押しつけられ、該ブラシ部が変形する事で窓枠下端部付近からの外光を遮断することを特徴とする請求項１または請求項２に記載の窓枠一体型映写スクリーン装置。
【請求項４】
前記窓枠一体型映写スクリーン装置において、リモコン受光部を備え、リモコン送信機からの信号によって、映写スクリーンの引き出し、収納を自動的に行う請求項１から請求項３のいずれかに記載の窓枠一体型映写スクリーン装置。
【請求項５】
前記窓枠一体型映写スクリーン装置において、収納ケース、または下部部材、または左右縦部材のいずれか一ヶ所以上の部材部に音響装置を配したことを特徴とする請求項１から請求項４のいずれかに記載の窓枠一体型映写スクリーン装置。
【考案の詳細な説明】
【技術分野】
【０００１】
本考案は、投影型スクリーンを組み込む窓枠に関するものである。
【背景技術】
【０００２】
近年、家庭でも大型映写スクリーンで映画などを楽しむ事が多くなってきた。映写スクリーンの大きい物は、対角５０インチから１００インチをオーバーするものまで出ている。
【０００３】
映写スクリーンの設置方法として、天井から吊るす方法がある。この時、映像の上端部を天井付近に写し出した場合、観者は下から見上げる状態で鑑賞することになり、長時間の鑑賞には不向きである。この為、スクリーンを下部方向に大きくし、映写位置を下げていた。しかし、このことで映写スクリーンは大きくなり、重くなっていた。
【０００４】
別の映写スクリーンの設置方法として、床面に吊り下げ具を置き、吊り下げ具からスクリーンを吊り下げる方法がある。この時、吊り下げ具の上端位置を適度な位置にする事により、スクリーンを無駄に大きくする必要はなくなった。しかしながら、スクリーンの設置や、片付けが手間であった。
【０００５】
また、液晶プロジェクターや、オーバーヘッドプロジェクターなど投射型プロジェクターにおいて、コントラストの有る映像を昼間に見る為には、部屋を暗くする必要がある。このため、部屋の遮光は重要であり、窓には厚手のカーテンなどを吊るしていた。
【０００６】
さらに、プロジェクターからの光を受ける映写スクリーンは、平面度が必要で有るが、映写スクリーン面にしわやたるみが出た場合、映し出された映像は、しわやたるみ部分で歪として見え、鑑賞に問題があった。
【０００７】
一方、窓用スクリーン装置として、（特許第３５３２８０号公報）がある。この提案の場合、窓障子と平行摺動するスクリーン装置であって、１６：９の映画などを映し出す映写スクリーンとしては、スクリーンの横引き出しは、スクリーン面の平面度が出しにくく、映写スクリーンの為の物ではなかった。
【特許文献１】特許第３５３２８０号公報
【考案の開示】
【考案が解決しようとする課題】
【０００８】
本考案は、大型映写スクリーンの設置、片付けが容易であって、映写スクリーンを設置することで、遮光が容易にできる映写スクリーンを提供することにある。
【課題を解決するための手段】
【０００９】
上記目的を達成するため本考案の窓枠一体型映写スクリーン装置は、窓枠と、映写スクリーンと、スクリーン端末具と、収納ケースと、下部部材と、左縦部材と右縦部材を備えた窓枠一体型映写スクリーン装置であって、窓枠には、上枠と、下枠と、左右縦枠を備え、収納ケースは、窓枠の上端部材付近に配し、映写スクリーンは収納ケース内に、引き出し自在に納めた映写スクリーンを下部部材まで引き出した時、引き出されスクリーン及びスクリーンに配された端末部によって、窓枠一体型映写スクリーンを備えた室内に対し、窓枠からの外光を遮断することを最も主要な特徴とする。
【考案の効果】
【００１０】
本考案の窓枠一体型映写スクリーン装置は、窓枠上端部付近に配した収納ケースから映写スクリーンを下方に引き出すことで、映写スクリーンの設置と、映写スクリーンを引き出した窓枠部の遮光を行い、映写スクリーンを収納ケースに納めることで、映写スクリーンの片付けと、映写スクリーンを備えた窓枠部の遮光を解くことができる。
【考案を実施するための最良の形態】
【００１１】
上記窓枠一体型映写スクリーン装置に対し、スクリーン端末具にはブラシ部を備え、映写スクリーン左右端は窓枠左右端部の溝内を摺動し、収納ケース又は、下部部材または、右縦部材または、左縦部材に、リモコン受光部、音響装置を備えることで、窓枠部がＡＶ基地にできる。
【実施例１】
【００１２】
本考案の実施形態について詳しく説明する。本実施例で説明する形状は、これを限定する物ではない。図１は、本発明の窓枠一体型映写スクリーン装置において、映写スクリーンが収納ケースに収納された状態を室内方向から見た斜視図である。１は内壁を示し、６は、左ガラス戸、７は右ガラス戸、８は鍵つまみ、１１は収納ケース、２１は下部部材、２２は左縦部材、２３は右縦部材である。左右は室内から見た方向にて記述しているが、特定するものではない。
【００１３】
図２は、図１に対し、映写スクリーンを引き出した状態を示す斜視図である。１２は映写スクリーンを示し、１３はスクリーン端末具である。この時、映写スクリーン１２の昇降は、紐あるいはチェーンを引いてスクリーンを昇降させるチェーンドライブタイプまたは、リモコンスイッチにて映写スクリーン１２を昇降する、電動タイプとすることもある。
【００１４】
図３は、図２に対し、映写スクリーンを下端まで引き出した状態を示す斜視図である。この時、スクリーン端末具１３は、下部部材２１にほとんど接した状態となっている。
【００１５】
図４は、図２の状態を室外方向から見た斜視図である。２は上枠を示し、３は下枠、４は左縦枠、５は右縦枠である。
【００１６】
本考案の窓枠一体型映写スクリーン装置は、窓枠と映写スクリーン、収納ケースなどを一体にした窓枠一体型映写スクリーン装置であり、説明図では、窓枠に収まるガラス戸は２枚としているが、これに限定する物ではない。また、窓ガラスが、ペアガラスなのか、単板ガラスなどかも限定しない。同様に、窓枠が出窓タイプなのか、直付けタイプなのかも限定しない。さらに、窓枠が取り付けられる建築物が、木造なのか、鉄骨、ＲＣなどについても限定しない。
【００１７】
図５は、本考案の窓枠一体型映写スクリーン装置における上部付近の断面図である。この時、１４はスクリーン心材である。映写スクリーン１２は、スクリーン心材１４に巻きつけられた状態で、収納ケース１１内に納められていて、映写スクリーン１２が引き出されることで、映写スクリーン１２としての機能を発揮する。
【００１８】
映写スクリーン１２は、窓ガラスからの外光を遮光する為、遮光性能の高いスクリーンを使用している。
【００１９】
図５では、収納ケース１１及び、映写スクリーン１２が、ガラス戸のガラス上端より上部に配され、映写スクリーン１２が引き下げられた時、ガラス戸上部からの外光を遮断する状態を説明している。
【００２０】
また図５では、上枠２と収納ケース１１を一体物として描かれているが、組立工程上２個以上の部品に分解し、組立を行う場合もある。
【００２１】
図６は、本考案の窓枠一体型映写スクリーン装置における下部付近の断面図である。この時、スクリーン端末具１３は、ガラス戸のガラス下端より下部に位置し、ガラス戸下部からの外光を遮断する。
【００２２】
また図６では、下枠３と下部部材２１を一体物として描かれているが、組立工程上２個以上の部品に分解し、組立を行う場合もある。
【００２３】
図７は、スクリーン端末具にブラシ具備時の断面図である。２４はブラシを示している。ブラシ２４は、スクリーン端末具１３に具備され、該ブラシ２４が下部部材２１に当り、変形するブラシ２４にて、下部部材２１との隙間発生を防止し、より確実に遮光できる。ブラシ２４の材質は問わないが、軟らかく、密度の濃いものが望ましい。
【００２４】
また図７では、右縦枠４と右縦部材２３を一体物として描かれているが、組立工程上２個以上の部品に分解し、組立を行う場合もある。
【００２５】
図８は、右縦部材とスクリーン端末具の位置関係を示す断面図である。右縦部材２３はコの字形状を備え、映写スクリーン１２及び、スクリーン端末具１３の右端は、該コの字形状内を上下に摺動する。左右は動形状とする。映写スクリーン１２及び、スクリーン端末具１３が、該コの字の中に入り込む事により、ガラス戸左右からの外光を遮断する。
【００２６】
図９は、右縦部材にブラシ具備時の断面図である。２５はブラシを示している。右縦部材２３のコの字形状部に具備されたブラシ２５は、スクリーン端末部が摺動した時、スクリーン端末部と、右縦部材２３との擦れ音を低減し、ブラシ２５の先端が映写スクリーン１２に接触し、外光の遮蔽を図ることができる。
【産業上の利用可能性】
【００２７】
本考案の窓枠一体型映写スクリーン装置は、窓枠一体型としたことで、建築時のマンション、アパート一般住宅の窓枠部に、映写スクリーン一体として設置し、入居者がスクリーンの設置に対するわずらわしさを取り除いた住居としてアピールできる。
【図面の簡単な説明】
【００２８】
【図１】本考案の窓枠一体型映写スクリーン装置において、映写スクリーンが収納ケースに収納された状態を室内方向から見た斜視図である。
【図２】図１に対し、映写スクリーンを引き出した状態を示す斜視図である。
【図３】図２に対し、映写スクリーンを下端まで引き出した状態を示す斜視図である。
【図４】図２の状態を室外方向から見た斜視図である。
【図５】本考案の窓枠一体型映写スクリーン装置における上部付近の断面図である。
【図６】本考案の窓枠一体型映写スクリーン装置における下部付近の断面図である。
【図７】スクリーン端末具にブラシ具備時の断面図である。
【図８】右縦部材とスクリーン端末具の位置関係を示す断面図である。
【図９】右縦部材にブラシ具備時の断面図である。
【符号の説明】
【００２９】
１    内壁
２    上枠
３    下枠
４    左縦枠
５    右縦枠
６    左ガラス戸
７    右ガラス戸
８    鍵つまみ
９    外壁
１１  収納ケース
１２  映写スクリーン
１３  スクリーン端末具
１４  スクリーン心材
２１  下部部材
２２  左縦部材
２３  右縦部材
２４  ブラシ
２５  ブラシ
【図１】
0003139873.tif 000003
【図２】
0003139873.tif 000004
【図３】
0003139873.tif 000005
【図４】
0003139873.tif 000006
【図５】
0003139873.tif 000007
【図６】
0003139873.tif 000008
【図７】
0003139873.tif 000009
【図８】
0003139873.tif 000010
【図９】
0003139873.tif 000011